(57)【要約】【課題】中間配線盤における作業を正確にかつ使用回線に支障を生じさせることなく行わせることができる中間配線盤作業区画表示板を提供する。【解決手段】右側用中間配線盤作業区画表示板１０は、非導電性の材質からなる右側カバー部１１と、右側カバー部１１の裏面に取り付けられた非導電性の材質からなる第１および第２の右側固定用部材１２1，１２2とを具備する。右側カバー部１１は、右側正面部１１ａ，右側折曲部１１ｂおよび右側側面部１１ｃからなり、右側正面部１１ａの右側折曲部１１ｂ側に、中間配線盤のハニカム端子の縦方向の間隔と同じ間隔で端子記号Ａ〜Ｈ，Ｊ，Ｋが表示されている。左側用中間配線盤作業区画表示板２０も同様に構成されている。【選択図】図１
2007214617.tif 000002
【特許請求の範囲】
【請求項１】
中間配線盤（１）のハニカム端子（２1A〜２25K，３1A〜３25K）に対して作業を行う際に用いられる中間配線盤作業区画表示板（１０；２０；３０；４０）であって、
非導電性の材質からなるカバー部（１１；２１；３１；４１）と、
該カバー部の裏面に取り付けられた非導電性の材質からなる固定用部材（１２1，１２2；２２1，２２2；３２1，３２2；４２1，４２2）とを具備し、
前記カバー部が、正面部（１１ａ；２１ａ；３１ａ；４１ａ）および側面部（１１ｃ；２１ｃ；３１ｃ；４１ｃ）を備え、
前記正面部に、前記中間配線盤の前記ハニカム端子の縦方向の間隔と同じ間隔で端子記号（Ａ〜Ｈ，Ｊ，Ｋ）が表示されている、
ことを特徴とする、中間配線盤作業区画表示板。
【請求項２】
前記カバー部に、前記ハニカム端子の縦方向の間隔と同じ間隔で、複数本の横線が表示されていることを特徴とする、請求項１記載の中間配線盤作業区画表示板。
【請求項３】
前記固定用部材が、前記中間配線盤作業区画表示板を前記中間配線盤に取り付けたときに該固定用部材が該中間配線盤の隣合う行の前記ハニカム端子の間に位置するように、前記カバー部の前記正面部の裏面に取り付けられていることを特徴とする、
請求項１または２記載の中間配線盤作業区画表示板。
【請求項４】
前記固定用部材が、先端部が太くされた板状のものであり、
前記固定用部材の先端部の太さが、前記ハニカム端子の縦方向の間隔よりもやや大きめにされており、
前記固定用部材の先端が、丸型にされている、
ことを特徴とする、請求項１乃至３いずれかに記載の中間配線盤作業区画表示板。
【請求項５】
前記固定用部材の長さが、前記ハニカム端子に２本の線が２段ラッピングされても該固定用部材の先端が２段目の線に接触しない長さにされていることを特徴とする、請求項１乃至４いずれかに記載の中間配線盤作業区画表示板。
【請求項６】
前記中間配線盤作業区画表示板が、右側用中間配線盤作業区画表示板（１０；３０）と左側用中間配線盤作業区画表示板（２０；４０）とを含むことを特徴とする、請求項１乃至５いずれかに記載の中間配線盤作業区画表示板。
【請求項７】
前記右側用中間配線盤作業区画表示板（１０）が、
非導電性の材質からなる右側カバー部（１１）と、
該右側カバー部の裏面に取り付けられた非導電性の材質からなる第１および第２の右側固定用部材（１２1，１２2）とを具備し、
前記右側カバー部が、右側正面部（１１ａ），右側折曲部（１１ｂ）および右側側面部（１１ｃ）からなり、
前記右側正面部の前記右側折曲部側に、前記中間配線盤の前記ハニカム端子の縦方向の間隔と同じ間隔で端子記号（Ａ〜Ｈ，Ｊ，Ｋ）が表示されている、
ことを特徴とする、請求項６記載の中間配線盤作業区画表示板。
【請求項８】
前記左側用中間配線盤作業区画表示板（２０）が、
非導電性の材質からなる左側カバー部（２１）と、
該左側カバー部の裏面に取り付けられた非導電性の材質からなる第１および第２の左側固定用部材（２２1，２２2）とを具備し、
前記左側カバー部が、左側正面部（２１ａ），左側折曲部（２１ｂ）および左側側面部（２１ｃ）からなり、
前記左側正面部の前記左側折曲部側に、前記中間配線盤の前記ハニカム端子の縦方向の間隔と同じ間隔で端子記号（Ａ〜Ｈ，Ｊ，Ｋ）が表示されている、
ことを特徴とする、請求項６記載の中間配線盤作業区画表示板。
【請求項９】
前記右側用中間配線盤作業区画表示板（３０）が、
左端面が９０°程度緩やかに曲げられた非導電性の材質からなる右側カバー部（３１）と、
該右側カバー部の裏面に取り付けられた非導電性の材質からなる第１および第２の右側固定用部材（３２1，３２2）とを具備し、
前記右側カバー部が、右側正面部（３１ａ），右側曲折部（３１ｂ）および右側側面部（３１ｃ）からなり、
前記右側正面部の前記右側曲折部側に、前記中間配線盤の前記ハニカム端子の縦方向の間隔と同じ間隔で端子記号（Ａ〜Ｈ，Ｊ，Ｋ）が表示されている、
ことを特徴とする、請求項６記載の中間配線盤作業区画表示板。
【請求項１０】
前記左側用中間配線盤作業区画表示板（４０）が、
右端面が９０°程度緩やかに曲げられた非導電性の材質からなる左側カバー部（４１）と、
該左側カバー部の裏面に取り付けられた非導電性の材質からなる第１および第２の左側固定用部材（４２1，４２2）とを具備し、
前記左側カバー部が、左側正面部（４１ａ），左側曲折部（４１ｂ）および左側側面部（４１ｃ）からなり、
前記左側正面部の前記左側曲折部側に、前記中間配線盤の前記ハニカム端子の縦方向の間隔と同じ間隔で端子記号（Ａ〜Ｈ，Ｊ，Ｋ）が表示されている、
ことを特徴とする、請求項６記載の中間配線盤作業区画表示板。
【発明の詳細な説明】
【技術分野】
【０００１】
本発明は、中間配線盤作業区画表示板に関し、特に、中間配線盤における信号線やジャンパー線のラッピング作業およびアンラッピング作業やクリップの取付作業などに用いるのに好適な中間配線盤作業区画表示板に関する。
【背景技術】
【０００２】
従来、図４に示すような絶縁板４と絶縁板４の表面および裏面に等間隔に格子状（１０行×２５列）にそれぞれ設けられたハニカム端子２1A〜２25K，３1A〜３25K（ハニカム端子３1A〜３25Kは不図示）とを備えた中間配線盤１において信号線やジャンパー線のラッピング作業およびアンラッピング作業を行う際には、作業員は、対象外のハニカム端子と区別するために、作業対象ハニカム端子を目視のみで確認して作業をするか、対象外のハニカム端子の上部にビニールテープなどの絶縁物で養生をして作業をしている。
【０００３】
なお、下記の特許文献１には、各ゾーンのゾーンボックス内のターミナルの結線状態および機能を容易に変更できるとともに一見して分かるようにするために、交換コードにより、中間配線盤における機能別に固定割付けされた一次側端子群の所望の端子と、各ゾーンおよびターミナルの順列に従って固定割付けされた二次側端子群の所望の端子とを接続した統合配線システムが開示されている。
【０００４】
また、下記の特許文献２には、ラッピング作業がしやすくかつ安価で使いよい端子盤の支持金具が開示されている。この端子盤の支持金具においては、支持金具の基部は、垂直板に２枚の水平板が間隔をあけて溶接されている。各水平板には左右一対の長方形の穴があけてある。延設部は、互いに枢支された第１および第２の板材を備えており、第１の板材はほぼ半円形で、その後側に、左右一対の爪が直角に延びている。第２の板材は、横長の端子盤取付部の中央から帯状に延びており、その先端を、第１の板材の中央にピンで枢支する。枢支部分の構造は、両板材に穴をあけ、これにウレタン樹脂製のワッシャをあてがい、ピン（リベット）を挿入してかしめる。第２の板材には小さな穴をあけ、その中に選択的には係合する３つの突起を第１の板材に設ける。
【特許文献１】特開平６−１２１３４８号公報
【特許文献２】登録実用新案第３０７４０７９号公報
【発明の開示】
【発明が解決しようとする課題】
【０００５】
しかしながら、作業員の目視確認のみでは、作業員が作業対象ハニカム端子を誤認する恐れがあるという問題があり、また、対象外のハニカム端子の上部へのビニールテープなどの養生では、対象外のハニカム端子に露出部があるため、作業対象ハニカム端子へのラッピング作業またはアンラッピング作業中にラッピングツールの先端部の金属部分が隣の使用回線のハニカム端子に接触して電気的な短絡が生じて使用回線に支障が生じる恐れがあるという問題があった。
【０００６】
本発明の目的は、中間配線盤における作業（信号線やジャンパー線のラッピング作業およびアンラッピング作業やクリップの取付作業など）を正確にかつ使用回線に支障を生じさせることなく行わせることができる中間配線盤作業区画表示板を提供することにある。
【課題を解決するための手段】
【０００７】
本発明の中間配線盤作業区画表示板は、中間配線盤（１）のハニカム端子（２1A〜２25K，３1A〜３25K）に対して作業を行う際に用いられる中間配線盤作業区画表示板（１０；２０；３０；４０）であって、非導電性の材質からなるカバー部（１１；２１；３１；４１）と、該カバー部の裏面に取り付けられた非導電性の材質からなる固定用部材（１２1，１２2；２２1，２２2；３２1，３２2；４２1，４２2）とを具備し、前記カバー部が、正面部（１１ａ；２１ａ；３１ａ；４１ａ）および側面部（１１ｃ；２１ｃ；３１ｃ；４１ｃ）を備え、前記正面部に、前記中間配線盤の前記ハニカム端子の縦方向の間隔と同じ間隔で端子記号（Ａ〜Ｈ，Ｊ，Ｋ）が表示されていることを特徴とする。
ここで、前記カバー部に、前記ハニカム端子の縦方向の間隔と同じ間隔で、複数本の横線が表示されていてもよい。
前記固定用部材が、前記中間配線盤作業区画表示板を前記中間配線盤に取り付けたときに該固定用部材が該中間配線盤の隣合う行の前記ハニカム端子の間に位置するように、前記カバー部の前記正面部の裏面に取り付けられていてもよい。
前記固定用部材が、先端部が太くされた板状のものであり、前記固定用部材の先端部の太さが、前記ハニカム端子の縦方向の間隔よりもやや大きめにされており、前記固定用部材の先端が、丸型にされていてもよい。
前記固定用部材の長さが、前記ハニカム端子に２本の線が２段ラッピングされても該固定用部材の先端が２段目の線に接触しない長さにされていてもよい。
前記中間配線盤作業区画表示板が、右側用中間配線盤作業区画表示板（１０；３０）と左側用中間配線盤作業区画表示板（２０；４０）とを含んでもよい。
前記右側用中間配線盤作業区画表示板（１０）が、非導電性の材質からなる右側カバー部（１１）と、該右側カバー部の裏面に取り付けられた非導電性の材質からなる第１および第２の右側固定用部材（１２1，１２2）とを具備し、前記右側カバー部が、右側正面部（１１ａ），右側折曲部（１１ｂ）および右側側面部（１１ｃ）からなり、前記右側正面部の前記右側折曲部側に、前記中間配線盤の前記ハニカム端子の縦方向の間隔と同じ間隔で端子記号（Ａ〜Ｈ，Ｊ，Ｋ）が表示されていてもよい。
前記左側用中間配線盤作業区画表示板（２０）が、非導電性の材質からなる左側カバー部（２１）と、該左側カバー部の裏面に取り付けられた非導電性の材質からなる第１および第２の左側固定用部材（２２1，２２2）とを具備し、前記左側カバー部が、左側正面部（２１ａ），左側折曲部（２１ｂ）および左側側面部（２１ｃ）からなり、前記左側正面部の前記左側折曲部側に、前記中間配線盤の前記ハニカム端子の縦方向の間隔と同じ間隔で端子記号（Ａ〜Ｈ，Ｊ，Ｋ）が表示されていてもよい。
前記右側用中間配線盤作業区画表示板（３０）が、左端面が９０°程度緩やかに曲げられた非導電性の材質からなる右側カバー部（３１）と、該右側カバー部の裏面に取り付けられた非導電性の材質からなる第１および第２の右側固定用部材（３２1，３２2）とを具備し、前記右側カバー部が、右側正面部（３１ａ），右側曲折部（３１ｂ）および右側側面部（３１ｃ）からなり、前記右側正面部の前記右側曲折部側に、前記中間配線盤の前記ハニカム端子の縦方向の間隔と同じ間隔で端子記号（Ａ〜Ｈ，Ｊ，Ｋ）が表示されていてもよい。
前記左側用中間配線盤作業区画表示板（４０）が、右端面が９０°程度緩やかに曲げられた非導電性の材質からなる左側カバー部（４１）と、該左側カバー部の裏面に取り付けられた非導電性の材質からなる第１および第２の左側固定用部材（４２1，４２2）とを具備し、前記左側カバー部が、左側正面部（４１ａ），左側曲折部（４１ｂ）および左側側面部（４１ｃ）からなり、前記左側正面部の前記左側曲折部側に、前記中間配線盤の前記ハニカム端子の縦方向の間隔と同じ間隔で端子記号（Ａ〜Ｈ，Ｊ，Ｋ）が表示されていてもよい。
【発明の効果】
【０００８】
本発明の中間配線盤作業区画表示板は、以下に示す効果を奏する。
（１）作業対象ハニカム端子以外を中間配線盤作業区画表示板によってカバーするので、作業員が作業対象ハニカム端子を誤認する可能性を極めて小さくすることができる。
（２）中間配線盤作業区画表示板に端子記号を表示することにより、作業員が作業対象ハニカム端子を誤認する可能性をより小さくすることができる。
（３）中間配線盤作業区画表示板を非導電性の材質とすることにより、ラッピング作業およびアンラッピング作業中にラッピングツールの先端部の金属部分が隣の使用回線のハニカム端子に直接接触することがないため、電気的な短絡により使用回線に支障が生じることを防止することができる。
【発明を実施するための最良の形態】
【０００９】
中間配線盤における作業を正確にかつ使用回線に支障が生じさせることなく行わせるという目的を、作業対象ハニカム端子以外をカバーするための非導電性の材質からなるカバー部の正面部に中間配線盤のハニカム端子の縦方向の間隔と同じ間隔で端子記号が表示された中間配線盤作業区画表示板を用いることにより実現した。
【実施例１】
【００１０】
以下、本発明の中間配線盤作業区画表示板の実施例について図面を参照して説明する。
本発明の一実施例による右側用中間配線盤作業区画表示板１０および左側用中間配線盤作業区画表示板２０は、図４に示した中間配線盤１に使用するものである。
【００１１】
右側用中間配線盤作業区画表示板１０は、図１（ａ）に示すように、非導電性の材質（たとえば、ビニールなど）からなる右側カバー部１１と、非導電性の材質（たとえば、ゴムなど）からなる第１および第２の右側固定用部材１２1，１２2とを具備する。
【００１２】
ここで、右側カバー部１１は、右側正面部１１ａと右側折曲部１１ｂと右側側面部１１ｃとからなり、右側正面部１１ａの右側折曲部１１ｂ側には、中間配線盤１のハニカム端子２1A〜２25K，３1A〜３25Kの縦方向（列の方向）の間隔と同じ間隔で、中間配線盤１の左端の行表示（Ａ〜Ｈ，Ｊ，Ｋ）と同じ端子記号（Ａ〜Ｈ，Ｊ，Ｋ）が表示されている。また、右側カバー部１１には、ハニカム端子２1A〜２25K，３1A〜３25Kの縦方向の間隔と同じ間隔で、１０本の横線が表示されている。
【００１３】
第１および第２の右側固定用部材１２1，１２2は、右側用中間配線盤作業区画表示板１０を中間配線盤１に取り付けたときに第１および第２の右側固定用部材１２1，１２2が中間配線盤１の隣合う行のハニカム端子の間に位置するように、右側カバー部１１の右側正面部１１ａの右側折曲部１１ｂ側の裏面に取り付けられている。
この例では、第１の右側固定用部材１２1が中間配線盤１の表面の２行目のハニカム端子２1B〜２25Bと３行目のハニカム端子２1C〜２25Cとの間に位置しかつ第２の右側固定用部材１２2が中間配線盤１の表面の８行目のハニカム端子２1H〜２25Hと９行目のハニカム端子２1J〜２25Jとの間に位置するように、第１および第２の右側固定用部材１２1，１２2は右側カバー部１１の右側正面部１１ａの右側折曲部１１ｂ側の裏面に取り付けられている。
【００１４】
また、第１および第２の右側固定用部材１２1，１２2は、図２に示すように先端部が太くされた板状のものであり、先端部の太さは、ハニカム端子２1A〜２25Kの縦方向の間隔よりもやや大きめにされている。これにより、第１の右側固定用部材１２1を中間配線盤１の表面の２行目のハニカム端子２1B〜２25Bと３行目のハニカム端子２1C〜２25Cとの間に挿入し、かつ、第２の右側固定用部材１２2を中間配線盤１の表面の８行目のハニカム端子２1H〜２25Hと９行目のハニカム端子２1J〜２25Jとの間に挿入することにより、右側用中間配線盤作業区画表示板１０を中間配線盤１に取り付けることができる。
【００１５】
さらに、第１および第２の右側固定用部材１２1，１２2の先端は、中間配線盤１に取り付け易いように、丸型にされている。
さらにまた、第１および第２の右側固定用部材１２1，１２2の長さは、ハニカム端子に２本の信号線またはジャンパー線が２段ラッピングされても第１および第２の右側固定用部材１２1，１２2の先端が２段目の信号線またはジャンパー線に接触しない長さにされている。たとえば、図２に示すように、第２の右側固定用部材１２2の長さは、ハニカム端子２10Jに第１および第２の信号線５1，５2が２段ラッピングされても第２の固定用部材１２2の先端が２段目の第２の信号線５2に接触しない長さにされている。
【００１６】
左側用中間配線盤作業区画表示板２０は、図１（ｂ）に示すように、非導電性の材質（たとえば、ビニールなど）からなる左側カバー部２１と、非導電性の材質（たとえば、ゴムなど）からなる第１および第２の左側固定用部材２２1，２２2とを具備する。
ここで、左側カバー部２１は、上述した右側カバー部１１と同様に構成されており、また、第１および第２の左側固定用部材２２1，２２2は、上述した第１および第２の右側固定用部材１２1，１２2と同様に構成されている。
【００１７】
次に、右側用中間配線盤作業区画表示板１０および左側用中間配線盤作業区画表示板２０の使用方法について、図３を参照して説明する。
作業員は、図３に示すように、中間配線盤１の表面の第５列目のハニカム端子２5A〜２5Kに対してラッピング作業をする場合には、右側用中間配線盤作業区画表示板１０の右側カバー部１１の右側側面部１１ｃを右側折曲部１１ｂから９０°程度右側カバー部１１の裏面側に折り曲げたのち、右側側面部１１ｃを中間配線盤１の表面の第５列目のハニカム端子２5A〜２5Kと第６列目のハニカム端子２6A〜２6Kとの間に挿入する。その後、作業員は、第１の右側固定用部材１２1を中間配線盤１の表面の２行目のハニカム端子２1B〜２25Bと３行目のハニカム端子２1C〜２25Cとの間に挿入し、第２の右側固定用部材１２2を中間配線盤１の表面の８行目のハニカム端子２1H〜２25Hと９行目のハニカム端子２1J〜２25Jとの間に挿入することにより、右側用中間配線盤作業区画表示板１０を中間配線盤１の表面に取り付ける。
【００１８】
続いて、作業員は、左側用中間配線盤作業区画表示板２０の左側カバー部２１の左側側面部２１ｃを左側折曲部２１ｂから９０°程度左側カバー部２１の裏面側に折り曲げたのち、左側側面部２１ｃを中間配線盤１の表面の第４列目のハニカム端子２4A〜２4Kと第５列目のハニカム端子２5A〜２5Kとの間に挿入する。その後、作業員は、第１の左側固定用部材２２1を中間配線盤１の表面の２行目のハニカム端子２1B〜２25Bと３行目のハニカム端子２1C〜２25Cとの間に挿入し、第２の左側固定用部材１２2を中間配線盤１の表面の８行目のハニカム端子２1H〜２25Hと９行目のハニカム端子２1J〜２25Jとの間に挿入することにより、左側用中間配線盤作業区画表示板２０を中間配線盤１の表面に取り付ける。
【００１９】
続いて、作業員は、ラッピングツールを用いて、中間配線盤１の表面の第５列目のハニカム端子２5A〜２5Kのうちの作業対象ハニカム端子に対してラッピング作業を行う。このとき、作業員は右側用中間配線盤作業区画表示板１０または左側用中間配線盤作業区画表示板２０に表示された端子記号Ａ〜Ｈ，Ｊ，Ｋにより作業対象ハニカム端子を確認しながらラッピング作業を行うことができるので、作業員が作業対象ハニカム端子を誤認することを防止することができる。また、中間配線盤１の表面の第５列目のハニカム端子２5A〜２5K以外のハニカム端子は右側用中間配線盤作業区画表示板１０の右側カバー部１１または左側用中間配線盤作業区画表示板２０の左側カバー部２１により覆われているため、作業員がラッピング作業中にラッピングツールの先端部の金属部分を誤って第４列目のハニカム端子２4A〜２4Kまたは第６列目のハニカム端子２6A〜２6Kに直接接触することがないため、第５列目のハニカム端子２5A〜２5Kとの間で電気的な短絡が生じることはない。
【００２０】
以上の説明においては、先端部が太くされた板状の第１および第２の右側固定用部材１２1，１２2および第１および第２の左側固定用部材２２1，２２2を用いたが、たとえば、複数本のハニカム端子をそれぞれキャップすることができる複数個のキャップ部材を右側用中間配線盤作業区画表示板１０の右側カバー部１１の裏面および左側用中間配線盤作業区画表示板２０の左側カバー部２１の裏面にそれぞれ取り付けて、これらのキャップ部材により右側用中間配線盤作業区画表示板１０および左側用中間配線盤作業区画表示板２０を中間配線盤１に取り付けるようにしてもよい。
【００２１】
また、持運びが便利なようにフラットな状態で右側用中間配線盤作業区画表示板１０および左側用中間配線盤作業区画表示板２０を持ち運べるようにするために、右側カバー部１１および左側カバー部２１を右側折曲部１１ｂおよび左側折曲部２１ｂから９０°程度折り曲げられるように構成したが、図５（ａ），（ｂ）に示す右側用中間配線盤作業区画表示板３０および左側用中間配線盤作業区画表示板４０のように、左端面が９０°程度緩やかに曲げられた非導電性の材質（たとえば、ビニールなど）で右側カバー部３１および左側カバー部４１を構成してもよい。
【００２２】
この場合には、右側用中間配線盤作業区画表示板３０の右側カバー部３１は右側正面部３１ａと右側曲折部３１ｂと右側側面部３１ｃとからなり、右側正面部３１ａの右側曲折部３１ｂ側に中間配線盤１のハニカム端子２1A〜２25K，３1A〜３25Kの縦方向（列の方向）の間隔と同じ間隔で中間配線盤１の左端の行表示（Ａ〜Ｈ，Ｊ，Ｋ）と同じ端子記号（Ａ〜Ｈ，Ｊ，Ｋ）が表示される。
左側用中間配線盤作業区画表示板４０についても同様である。
【００２３】
また、作業員は、中間配線盤１の表面の第５列目のハニカム端子２5A〜２5Kに対してラッピング作業をする場合（図３参照）には、右側用中間配線盤作業区画表示板３０の右側カバー部３１の右側側面部３１ｃを中間配線盤１の表面の第５列目のハニカム端子２5A〜２5Kと第６列目のハニカム端子２6A〜２6Kとの間に挿入したのち、第１の右側固定用部材３２1を中間配線盤１の表面の２行目のハニカム端子２1B〜２25Bと３行目のハニカム端子２1C〜２25Cとの間に挿入し、第２の右側固定用部材３２2を中間配線盤１の表面の８行目のハニカム端子２1H〜２25Hと９行目のハニカム端子２1J〜２25Jとの間に挿入することにより、右側用中間配線盤作業区画表示板３０を中間配線盤１の表面に取り付ける。
【００２４】
続いて、作業員は、左側用中間配線盤作業区画表示板４０の左側カバー部４１の左側側面部４１ｃを中間配線盤１の表面の第４列目のハニカム端子２4A〜２4Kと第５列目のハニカム端子２5A〜２5Kとの間に挿入したのち、第１の左側固定用部材４２1を中間配線盤１の表面の２行目のハニカム端子２1B〜２25Bと３行目のハニカム端子２1C〜２25Cとの間に挿入し、第２の左側固定用部材４２2を中間配線盤１の表面の８行目のハニカム端子２1H〜２25Hと９行目のハニカム端子２1J〜２25Jとの間に挿入することにより、左側用中間配線盤作業区画表示板４０を中間配線盤１の表面に取り付ける。
【産業上の利用可能性】
【００２５】
以上説明したように、本発明の中間配線盤作業区画表示板は、たとえば、中間配線盤における信号線やジャンパー線のラッピング作業およびアンラッピング作業やクリップの取付作業などに用いる中間配線盤作業区画表示板として利用することができる。
【図面の簡単な説明】
【００２６】
【図１】本発明の一実施例による中間配線盤作業区画表示板の構成を示す図であり、（ａ）は右側用中間配線盤作業区画表示板１０の構成を示す図であり、（ｂ）は左側用中間配線盤作業区画表示板２０の構成を示す図である。
【図２】図１（ａ）に示した第１および第２の右側固定用部材１２1，１２2の構成を示す図である。
【図３】図１（ａ），（ｂ）に示した右側用中間配線盤作業区画表示板１０および左側用中間配線盤作業区画表示板２０の使用方法を説明するための図である。
【図４】中間配線盤１の構成を説明するための図である。
【図５】本発明の他の実施例による中間配線盤作業区画表示板の構成を示す図であり、（ａ）は右側用中間配線盤作業区画表示板３０の構成を示す図であり、（ｂ）は左側用中間配線盤作業区画表示板４０の構成を示す図である。
【符号の説明】
【００２７】
１  中間配線盤
２1A〜２25K，３1A〜３25K  ハニカム端子
４  絶縁板
５1，５2  第１および第２の信号線
１０，３０  右側用中間配線盤作業区画表示板
１１，３１  右側カバー部
１１ａ，３１ａ  右側正面部
１１ｂ  右側折曲部
１１ｃ，３１ｃ  右側側面部
１２1，１２2，３２1，３２2  第１および第２の右側固定用部材
２０，４０  左側用中間配線盤作業区画表示板
２１，４１  左側カバー部
２１ａ，４１ａ  左側正面部
２１ｂ  左側折曲部
２１ｃ，４１ｃ  左側側面部
２２1，２２2，４２1，４２2  第１および第２の左側固定用部材
３１ｂ  右側曲折部
４１ｂ  左側曲折部
【図１】
2007214617.tif 000003
【図２】
2007214617.tif 000004
【図３】
2007214617.tif 000005
【図４】
2007214617.tif 000006
【図５】
2007214617.tif 000007